(57)【要約】【課題】生産性に優れ、しかも接着特性に優れたエンドレス両面粘着テープおよびその製造方法を提供する。【解決手段】本発明のエンドレス両面粘着テープ３は、各種の機能を有した支持体の片面又は両面に各種の機能を有した粘着剤層を有する原反幅のテープ１４を巻心２上に巻回積層して形成してなる原反幅のエンドレステープ８を、所定幅Ｗ１のエンドレステープ３に切断手段１０を用いて切断して、エンドレステープ３内の粘着剤層５ａ〜５ｃを構成する粘着剤の一部を、意図的にエンドレステープ３の端面７ａ、７ｂ側へはみ出させて、エンドレステープ３の両端面７ａ、７ｂを接着面１１ａ、１１ｂとして利用することを特徴とする。【選択図】図２
2015147921.tif 000002
【特許請求の範囲】
【請求項１】
各種の機能を有した支持体の片面又は両面に各種の機能を有した粘着剤層を有する原反幅のテープを巻心上に巻回積層して形成してなる原反幅のエンドレステープを所定幅のエンドレステープに切断手段を用いて切断して、前記所定幅のエンドレステープ内の粘着剤層を構成する粘着剤の一部を、意図的に前記所定幅のエンドレステープの端面側へはみ出させて、前記所定幅のエンドレステープの両端面を接着面として利用することを特徴とするエンドレス両面粘着テープ。
【請求項２】
前記所定幅は、前記端面の幅と同じかまたは小さい請求項１に記載の薄手エンドレス両面粘着テープ。
【請求項３】
前記所定幅は、０．１ｍｍ〜１０．０ｍｍの範囲である請求項１または２に記載の薄手エンドレス両面粘着テープ。
【請求項４】
支持体の片面又は両面に粘着剤層を有する原反幅のテープを巻心上に巻回積層して原反幅のエンドレステープを形成する工程と、
前記原反幅のエンドレステープを所定幅のエンドレステープに切断手段を用いて切断する工程と
を具え、
前記所定幅のエンドレステープ内の粘着剤層を構成する粘着剤の一部を意図的に前記所定幅のエンドレステープの端面側へはみ出させて、前記所定幅のエンドレステープの両端面を接着面として利用することを特徴とするエンドレス両面粘着テープの製造方法。
【請求項５】
前記粘着剤層を構成する粘着剤の一部は、切断時に、切断手段の押圧力によって端面側にはみ出させると同時に、切断手段の各端面上での接触移動によって各端面全体に塗り拡げられる請求項４に記載のエンドレス両面粘着テープの製造方法。
【発明の詳細な説明】
【技術分野】
【０００１】
本発明は、エンドレス両面粘着テープおよびその製造方法に関する。
【背景技術】
【０００２】
従来の両面粘着テープ、例えば携帯電話等の携帯機器を構成する枠体に、他の構成部材を接着するのに用いられる両面粘着テープの製造方法は、シート状またはフィルム状の支持体と、その両面に設けた粘着剤層とによって形成した両面粘着シートまたは両面粘着フィルム（以下、単に「両面粘着シート」という。）を、打ち抜き加工によって、枠体の形状に合わせて、リング状、四角形状などの様々なエンドレス形状を有する両面粘着テープに打ち抜いて製造するのが一般的であり、このような従来の両面粘着テープの製造方法を開示した公知文献としては、例えば特許文献１が挙げられる。
【０００３】
しかしながら、特許文献１に記載の方法は、打ち抜き加工後の両面粘着シートのかなりの部分が使用されずに残ってしまい、廃棄処分となるため、面積歩留りが低く、生産性が悪いという問題がある。
【０００４】
また、両面粘着シートとして必要とされるエンドレス形状のテープには、機器の薄型化、小型化と、例えば表示画面の占める面積の増大などの理由により、細い幅が求められ、単純な打ち抜き刃型を用いた従来の方法では、エンドレス形状のテープを打ち抜けない場合もあり、打ち抜き方法の変更、複数金型を使用するなどの特殊な加工方法を取らざるを得ない例も多く、技術的難易度及び加工費用の増大といった問題もある。
【０００５】
さらに、両面粘着シートとして必要とされるエンドレス形状のテープには、機器設計の要請から、単に接着機能を果たすだけではなく、静電気から機器を守るための電気導通機能、生活防水機能を満たすための防水接着機能、外部の衝撃からガラス面等を保護するための緩衝機能、および内部から発する光を透過させないための遮光機能などのさまざまな機能が求められてきており、このような場合、従来では、接着機能を有するエンドレス形状のテープとともに、別のテープ・シート加工品を組み合わせた複合テープとして使用されており、これは、コスト面・設計面での課題となっている。
【０００６】
両面粘着シートは、その製造方法などから、支持体と呼ばれる基材(ないものもある)の上下面に粘着剤を塗布し、加熱等により３次元の架橋反応させたものである。両面粘着テープの粘着剤層の切断面も、当然、粘着力を有し、切断面が平滑であれば、塗布面となんら変わらぬ接着力を有する。
【先行技術文献】
【特許文献】
【０００７】
【特許文献１】特開２００３−２５５８４７号公報
【発明の概要】
【発明が解決しようとする課題】
【０００８】
本発明の目的は、生産性に優れ、接着機能を有し、しかも必要に応じ、導電機能、防水機能、緩衝機能、遮光機能などの機能も簡便に付加できるエンドレス両面粘着テープおよびその製造方法を提供することにある。
【課題を解決するための手段】
【０００９】
上記目的を達成するため、本発明の要旨構成は以下の通りである。
（１）各種の機能を有した支持体の片面又は両面に各種の機能を有した粘着剤層を有する原反幅のテープを巻心上に巻回積層して形成してなる原反幅のエンドレステープを所定幅のエンドレステープに切断手段を用いて切断して、前記所定幅のエンドレステープ内の粘着剤層を構成する粘着剤の一部を、意図的に前記所定幅のエンドレステープの端面側へはみ出させて、前記所定幅のエンドレステープの両端面を接着面として利用することを特徴とするエンドレス両面粘着テープ。
【００１０】
（２）前記所定幅は、前記端面の幅と同じかまたは小さい上記（１）に記載の薄手エンドレス両面粘着テープ。
【００１１】
（３）前記所定幅は、０．１ｍｍ〜１０．０ｍｍの範囲である上記（１）または（２）に記載の薄手エンドレス両面粘着テープ。
【００１２】
（４）支持体の片面又は両面に粘着剤層を有する原反幅のテープを巻心上に巻回積層して原反幅のエンドレステープを形成する工程と、前記原反幅のエンドレステープを所定幅のエンドレステープに切断手段を用いて切断する工程とを具え、前記所定幅のエンドレステープ内の粘着剤層を構成する粘着剤の一部を意図的に前記所定幅のエンドレステープの端面側へはみ出させて、前記所定幅のエンドレステープの両端面を接着面として利用することを特徴とするエンドレス両面粘着テープの製造方法。
【００１３】
（５）前記粘着剤層を構成する粘着剤の一部は、切断時に、切断手段の押圧力によって端面側にはみ出させると同時に、切断手段の各端面上での接触移動によって各端面全体に塗り拡げられる上記（４）に記載のエンドレス両面粘着テープの製造方法。
【発明の効果】
【００１４】
本発明に従うエンドレス両面粘着テープによれば、各種の機能を有した支持体の片面又は両面に各種の機能を有した粘着剤を有する原反幅のテープを巻心上に巻回積層して形成してなる原反幅のエンドレステープを所定幅のエンドレステープに切断手段を用いて切断し、前記所定幅のエンドレステープ内に存在する粘着剤を意図的に端面側へはみ出させて、前記所定幅のエンドレステープの両端面を接着面として利用することにより、接着特性に優れたエンドレス両面粘着テープの提供が可能になった。
【００１５】
また、本発明に従うエンドレス両面粘着テープの製造方法によれば、各種の機能を有した支持体の片面又は両面に各種の機能を有した粘着剤を有する原反幅のテープを巻心上に巻回積層して原反幅のエンドレステープを形成する工程と、前記原反幅のエンドレステープを所定幅のエンドレステープに切断手段を用いて切断する工程とを具え、前記所定幅のエンドレステープ内に存在する粘着剤を意図的に端面側へはみ出させて、前記所定幅のエンドレステープの両端面を接着面として利用することにより、生産性に優れたエンドレス両面粘着テープの製造方法の提供が可能になった。
【図面の簡単な説明】
【００１６】
【図１】図１は、本発明に従うエンドレス両面粘着テープの平面図であって、巻心とともに切断したときの状態で示す。
【図２】図２は、図１のＩ−Ｉ線上の断面拡大図である。
【図３】図３（ａ）、（ｂ）および（ｃ）は、本発明に従う薄手エンドレス両面粘着テープの製造方法を説明するための模式図であって、図３（ａ）が、巻心上に原反幅のテープを巻回積層して原反幅のエンドレステープを製造するときの状態を示した斜視図であり、図３（ｂ）が、原反幅のエンドレステープを所定幅のエンドレステープに切断するときの状態を示した概略平面図であり、そして、図３（ｃ）が、巻心の部分と共に切断された所定幅のエンドレステープの状態（左図）と、巻心の部分を取り除いた後の所定幅のエンドレステープのみの状態（右図）とを示す平面図である。
【図４】図４（ａ）〜（ｇ）は、本発明に従う薄手エンドレス両面粘着テープの別の製造方法を説明するための図である。
【図５】図５（ａ）〜（ｅ）は、本発明に従う薄手エンドレス両面粘着テープの他の製造方法を説明するための図である。
【発明を実施するための形態】
【００１７】
次に、本発明の実施形態について説明する。なお、以下に示す実施形態については、本発明の理解を容易にするために用いた例示にすぎず、特許請求の範囲において種々の変更を加えることができる。
【００１８】
図１は、本発明に従うエンドレス両面粘着テープを、巻心付きのエンドレス両面粘着テープ製品として示したものであり、図２は、図１のＩ−Ｉ線上の断面を拡大して示したものであり、図３（ａ）、（ｂ）および（ｃ）は、本発明に従うエンドレス両面粘着テープの製造方法の一例を説明したものであって、図３（ａ）が、巻心上に原反幅のテープを巻回積層して原反幅のエンドレステープを製造するときの状態を示したものであり、図３（ｂ）が、原反幅のエンドレステープを所定幅のエンドレステープに切断するときの状態を示したものであり、そして、図３（ｃ）が、巻心の部分と共に切断された所定幅のエンドレステープの状態（左図）と、巻心の部分を取り除いたときの所定幅のエンドレステープの状態（右図）を示したものである。
【００１９】
薄手エンドレス両面粘着テープ３は、巻心２上に巻回積層して形成した原反幅のエンドレステープ８を切断することによって形成された所定幅のエンドレステープであって、図１では、原反幅のエンドレステープ８を切断した直後の、巻心付きのエンドレス両面粘着テープ製品１として示してある。
【００２０】
このエンドレス両面粘着テープ３は、支持体４ａ、４ｂ、４ｃと、この支持体４ａ、４ｂ、４ｃの片面又は両面、図２では支持体４ａ、４ｂ、４ｃの片面に形成した粘着剤層５ａ、５ｂ、５ｃとを有する３層の粘着テープ部６ａ、６ｂ、６ｃで主に構成される場合を示したものである。
【００２１】
ここで、エンドレス両面粘着テープ３の平面形状は、特に限定はしないが、例えば図１に示すようなリング状の他、四角形状のような多角形状など、様々なエンドレス形状にすることができ、例えば携帯電話等の携帯機器を構成する枠体と他の構成部材とを接着する形状に対応した形状にすることが好ましい。
【００２２】
巻心２は、切断できる材質であればよく、特に限定はしないが、例えば、ポリスチレン（ＰＳ）、ポリエチレンテレフタレート（ＰＥＴ）等の樹脂材料が挙げられる。また、巻心２は、エンドレス両面粘着テープ３と共に切断される場合には、切断効率の観点から、円筒状や角筒状のような肉薄の中空体として形成することが好ましいが、薄手エンドレス両面粘着テープ３だけを切断（輪切りに）し、巻心２を切断しない場合には円柱状や四角柱状のような中実体として形成してもよい。なお、巻心２の断面形状については、上記形状だけには限定されず、例えば携帯電話等の携帯機器を構成する枠体と他の構成部材とを接着するエンドレス両面粘着テープ３の平面形状に対応した形状にすることができる。
【００２３】
支持体４ａ、４ｂ、４ｃは、切断できる材質であればよく、特に限定はしないが、例えば、ポリスチレン（ＰＳ）、ポリエチレンテレフタレート（ＰＥＴ）等の樹脂材料が挙げられる。
【００２４】
粘着剤層５ａ、５ｂ、５ｃに用いる粘着剤としては、例えば切断手段による切断時の押圧力によって、エンドレス両面粘着テープ３の端面７ａ、７ｂ側へ一部が移動できるような物性値（例えば流動性）を有する材質であればよく、特に限定はしない。
【００２５】
そして、本発明の構成上の主な特徴は、エンドレス両面粘着テープ３の両端面７ａ、７ｂを接着面１１ａ、１１ｂとして利用することにあり、より具体的には、支持体４ａ、４ｂ、４ｃの片面又は両面に、粘着剤層５ａ、５ｂ、５ｃを有する原反幅のテープ１４を巻心２上に巻回積層して形成してなる原反幅のエンドレステープ８を、所定幅のエンドレステープ３に切断手段１０を用いて切断して、エンドレステープ３内の粘着剤層５ａ、５ｂ、５ｃを構成する粘着剤の一部を、意図的にエンドレステープ３の端面７ａ、７ｂ側へはみ出させて、エンドレステープ３の両端面７ａ、７ｂを接着面１１ａ、１１ｂとして利用することにある。
【００２６】
さらに言えば、エンドレス両面粘着テープ３、例えば携帯電話等の携帯機器を構成する枠体と他の構成部材とを接着する形式で用いられる従来の薄手エンドレス両面粘着テープ３において、両端面（切断または打抜き等の加工が施されたときの両加工面）を接着面として利用するものはこれまで存在しなかった。
【００２７】
すなわち、従来の技術では、エンドレス両面粘着テープを切断幅Ｗ１が小さく（例えば０．２ｍｍ幅）なるように切断することは難しく、通常は切断幅Ｗ１が両端面の幅Ｗ２に比べて大きくなる傾向があったため、両端面を接着面として利用することはなかったのであるが、本発明者らは、エンドレス両面粘着テープ３の所定幅（切断幅）Ｗ１を狭幅（例えば０．２ｍｍ幅）になるように切断することが可能になったことによって、薄手エンドレス両面粘着テープ３の両端面７ａ、７ｂを接着面１１ａ、１１ｂとして利用することを見出し、本発明を完成させるに至ったものである。
【００２８】
本発明のエンドレス両面粘着テープ３は、両端面を接着面として利用するため、所定幅（切断幅）Ｗ１が前記端面７ａ、７ｂの幅Ｗ２と同じかまたは小さいことが好ましく、前記所定幅Ｗ１は、好ましくは０．１ｍｍ〜１０．０ｍｍの範囲、より好ましくは０．１ｍｍ〜５ｍｍの範囲、さらに好ましくは０．１〜２ｍｍの範囲である。
【００２９】
なお、図２では、巻心２上に、支持体の片面に粘着剤層を有する原反幅のテープ１４を、粘着剤層５ａ、５ｂ、５ｃが巻心２の外周面側に向いた下向き状態になるように３周にわたって巻回積層してから、所定幅のエンドレステープ３に切断した場合の例を示しているが、１周を超えた巻回積層でエンドレス形状を形成できればよく、また、原反幅のテープ１４を、粘着剤層５ａ、５ｂ、５ｃが上向き状態になるように巻回積層した場合であってもよく、さらには、原反幅のテープ１４として、支持体の両面に粘着剤層と、これらの粘着剤層上にそれぞれセパレータ層を配設した両面粘着テープを用い、この両面粘着テープを巻心２上に巻回積層してから切断してエンドレス両面粘着テープ３を形成することもできる。
【００３０】
加えて、原反幅のテープ１４を、粘着剤層５ａ、５ｂ、５ｃが巻心２の外周面側に向いた下向き状態になるように巻回積層してエンドレス両面粘着テープ３を形成する場合には、薄手エンドレス両面粘着テープ３が巻心２の外周面に接着し、薄手エンドレス両面粘着テープ３が巻心２から分離できない場合が生じる。この場合、例えば、原反幅のテープ１４の先端部が接着する巻心２の外周面の一部だけを、原反幅のテープ１４の先端部が接着できる表面とし、巻心２の残りの外周面を、接着剤層の接着剤に対し離型性に優れた表面とすることが好ましい。
【００３１】
また、原反幅のテープ１４を、粘着剤層５ａ、５ｂ、５ｃが上向き状態になるように巻回積層してエンドレス両面粘着テープ３を形成する場合や、支持体の両面にそれぞれ粘着剤層と、これらの粘着剤層上にそれぞれセパレータ層を配設した両面粘着テープを巻心２上に巻回積層して薄手エンドレス両面粘着テープを形成する場合、通常の構成では、エンドレス両面粘着テープ３が巻心２の外周面には接着せずに固定できない。この場合、例えば、巻心２の外周面と接触する、原反幅のテープ１４の先端部の表面のみに、粘着剤層、好適には、特開２００８-６３５６１号公報に記載される低粘着力の粘着剤層を形成する構成として、エンドレス両面粘着テープを巻心から容易に分離できるようにすることが好ましい。
【００３２】
その他の実施形態としては、原反幅のテープ１４を上述したように巻心２の外周面に巻回積層する際、原反幅のテープ１４上にアルミニウム箔や銅箔等の金属シートまたはフィルムを重ねた状態に載置し、この状態の原反幅のテープ１４および金属シート等を巻心２の外周面上に巻回積層してもよく、これによって、エンドレス両面粘着テープ３自体に、導電性や強度を付与することができる。また、金属シート等の代わりにゴムシート等を用いてもよく、これによって、エンドレス両面粘着テープ３自体に、防水性を付与することも可能になる。この他にも、金属シート等の代わりにポリオレフィン（ＰＯ）系、ウレタン（例えばポロン（登録商標））、エチレンプロピレンジエンゴム（ＥＰＤＭ）などの発泡体やゴムシートを用いれば、エンドレス両面粘着テープ３自体に、緩衝機能を付与することができ、また、金属シート（金属箔）、黒色のポリエステルフィルム、黒色不織布等を用いれば、エンドレス両面粘着テープ３自体に、遮光機能を付与することができる。このように本発明は、原反幅のテープ１４上に、金属シート、ゴムシート、発泡体等を重ねた状態に載置した上で、巻心２の外周面上に巻回積層することによって、接着機能を有するだけではなく、電気導通機能、防水機能、緩衝機能および遮光機能などのさまざまな機能も兼ね備えたエンドレス両面粘着テープを、簡便に製造することができ、これは、コスト面・設計面で有利である。
【００３３】
次に、本発明に従うエンドレス両面粘着テープの代表的な製造方法の例を、図３（ａ）、（ｂ）および（ｃ）を用いて以下で説明する。
【００３４】
まず、図３（ａ）、（ｂ）に示すように、支持体の片面又は両面に粘着剤層を有する原反幅のテープ１４を巻心２上に巻回積層して原反幅のエンドレステープ８を形成した巻回ロール９を作製する。
【００３５】
次に、図３（ｂ）に示す切断装置を用いて、巻回ロール９を所定幅Ｗ１のエンドレステープ３に切断する。
【００３６】
切断装置は、チャック１２と、鉄芯１３と、切断手段である輪切りカッター１０とで主に構成されている。
【００３７】
切断手段１０は、巻回ロール９を所定幅Ｗ１のエンドレステープ３に切断できればよく、特に限定はしないが、例えば、平バイト、剣バイト又は丸刃が挙げられる。
【００３８】
チャック１２は、巻回ロール９の片側を固定して正逆回転可能に鉄芯１３を回転させる部材である。鉄芯１３は、巻回ロール９を構成する円筒状の巻心２内に貫通するまで嵌入され、巻回ロール９を切断時に回転させるときの回転軸となる部材である。輪切りカッター１０は、巻回ロール９の端面から所定幅Ｗ１の位置にて、回転させた巻回ロール９の外周面に接触させて、巻心２とともに所定幅のエンドレステープ３を順次に輪切りに切断する切断部材である。そして、上記切断装置を用いて、巻心２上に原反幅のテープ１４を巻回積層してなる巻回ロール９を所定幅Ｗ１に切断して、エンドレス両面粘着テープ３を製造する。
【００３９】
なお、本発明では、巻回ロール９を、前記所定幅Ｗ１のエンドレステープ３に切断（輪切りに）するとき、エンドレステープ３内の粘着剤層５ａ、５ｂ、５ｃを構成する粘着剤の一部を意図的にエンドレステープ３の端面７ａ、７ｂ側へはみ出させて、エンドレステープ３の両端面７ａ、７ｂを接着面１１ａ、１１ｂとして利用する。
【００４０】
また、本発明では、粘着剤層５ａ、５ｂ、５ｃを構成する粘着剤の一部は、切断時に、切断手段１０の押圧力によって端面７ａ、７ｂ側にはみ出させる（流動させる）と同時に、切断手段１０の各端面７ａ、７ｂ上での接触（摺動）移動によって各端面７ａ、７ｂの全体に塗り拡げられることが、均一な接着強度が得られる点で好ましい。
【００４１】
図３（ｃ）は、巻回ロール９を切断手段１０で巻心２の部分とともに切断されたエンドレス両面粘着テープ３の状態（左図）と、巻心２の部分を除去して、エンドレス両面粘着テープ３だけになった状態（右図）とを示したものである。
【００４２】
また、図４（ａ）〜（ｇ）は、本発明に従うエンドレス両面粘着テープの別の製造方法を示したものである。この製造方法は、巻心として、図４（ａ）に示すように、上下２枚の横板１５、１５と、これらの横板１５、１５の両端に分離可能に固定連結される２枚の側板１６、１６とで構成される角筒状の巻心２Ａを使用し、この巻心２Ａ上に、原反幅のテープ１４を所定の回数だけ巻回積層して原反幅のエンドレステープ８Ａを形成した後、図４（ｂ）に矢印で示す方向に、巻心２Ａから２枚の横板１５、１５をスライド移動させて、図４（ｃ）に示すようにこれらの横板１５、１５を取り外すとともに、横板１５、１５の支持がなくなった２枚の側板１６、１６を斜めに傾けた（図４（ｄ））上で、原反幅のエンドレステープ８Ａ内から引き抜いて角筒状の原反幅のエンドレステープ８Ａとし（図４（ｅ））、この角筒状の原反幅のエンドレステープ８Ａを、その中空部分がなくなる方向に押し潰して平面状とし（図４（ｆ））、この平面状にした原反幅のエンドレステープ８Ａを、図４（ｇ）に示すように、切断手段１０によって所定幅Ｗ１のエンドレステープ３Ａに切断することによって、本発明に従うエンドレス両面粘着テープ３Ａを製造することができる。
【００４３】
さらに、図５（ａ）〜（ｅ）は、本発明に従うエンドレス両面粘着テープの別の製造方法を示したものである。この製造方法は、巻心として、原反幅のテープ１４を巻回積層する際には巻回積層できる程度の剛性を有し、また、所定幅のエンドレステープ３に切断する際には、角筒状から平面状に変形可能な構造を有する巻心２Ｂを使用し、この巻心２Ｂ上に、図５（ａ）に示すように、原反幅のテープ１４を所定の回数だけ巻回積層して原反幅のエンドレステープ８Ｂを形成した後、図５（ｂ）に示すように、角筒状の巻心付き原反幅のエンドレステープ８Ｂを、その中空部分がなくなる方向に押し潰して平面状とし、この平面状にした原反幅のエンドレステープ８Ｂを、図５（ｃ）に示すように、切断手段１０によって、巻心２Ｂと共に所定幅Ｗ１のエンドレステープ３Ｂに切断することによって、本発明に従うエンドレス両面粘着テープ３Ｂを製造してもよく、あるいは、図５（ｄ）に示すように、原反幅のエンドレステープ８Ｂ内から、巻心２Ｂを体積収縮するように押圧変形させて取り除いた後に、図５（ｅ）に示すように、切断手段１０によって、巻心２Ｂなしの状態で所定幅Ｗ１のエンドレステープ３Ｂに切断することによって、本発明に従うエンドレス両面粘着テープ３Ｂを製造することもできる。
【００４４】
加えて、その他の実施態様として、巻心３を、体積収縮する材料で構成するか、あるいは巻回積層後に破壊可能な材質で構成する場合には、原反幅のテープ１４の巻回積層前後で、中空体から押し潰されて平面状（板状体）に変形する構成を有する巻心３だけには限定されず、板状体のままの形状を有する巻心３を用いることも可能である。
【産業上の利用可能性】
【００４５】
本発明に従うエンドレス両面粘着テープによれば、支持体の片面又は両面に粘着剤を有する原反幅のテープを巻心上に巻回積層して形成してなる原反幅のエンドレステープを所定幅のエンドレステープに切断手段を用いて切断し、前記所定幅のエンドレステープ内に存在する粘着剤を意図的に端面側へはみ出させて、前記所定幅のエンドレステープの両端面を接着面として利用することにより、接着特性に優れたエンドレス両面粘着テープの提供が可能になった。
【００４６】
また、本発明に従うエンドレス両面粘着テープの製造方法によれば、支持体の片面又は両面に粘着剤を有する原反幅のテープを巻心上に巻回積層して原反幅のエンドレステープを形成する工程と、前記原反幅のエンドレステープを所定幅のエンドレステープに切断手段を用いて切断する工程とを具え、前記所定幅のエンドレステープ内に存在する粘着剤を意図的に端面側へはみ出させて、前記所定幅のエンドレステープの両端面を接着面として利用することにより、生産性に優れたエンドレス両面粘着テープの製造方法の提供が可能になった。
【符号の説明】
【００４７】
１  エンドレス両面粘着テープ製品
２、２Ａ、２Ｂ  巻心
３  エンドレス両面粘着テープ（または所定幅のエンドレステープ）
４ａ、４ｂ、４ｃ  支持体
５ａ、５ｂ、５ｃ  粘着剤層
６ａ、６ｂ、６ｃ  粘着テープ部
７ａ、７ｂ  エンドレス両面粘着テープ３の端面
８、８Ａ、８Ｂ  原反幅のエンドレステープ
９  巻回ロール
１０  切断手段（または輪切りカッター）
１１ａ、１１ｂ  接着面
１２  チャック
１３  鉄芯
１４  原反幅のテープ
１５  横板
１６  側板
【図１】
2015147921.tif 000003
【図２】
2015147921.tif 000004
【図３】
2015147921.tif 000005
【図４】
2015147921.tif 000006
【図５】
2015147921.tif 000007